(57)【要約】【課題】部品点数を削減し、安価な手段でカセットローディング装置を提供することを目的とする。【解決手段】カムギヤ１６の平ギヤ部１６ａの内側にθ１＋θ２の範囲で円弧状の切り欠き部１６ｃを設ける。これにより、カムギヤ１６の平ギヤ部１６ａの内側に切り欠き部１６ｃを設けることにより弾性を持たせ、この弾性によりカセット無理押しによって発生する過負荷を逃がすことができ、クラッチ構造を設けることなく部品点数を削減することができるカセットローディング装置を得ることができる。【選択図】図１
2006079654.tif 000002
【特許請求の範囲】
【請求項１】
シャーシと、前記シャーシに固定された駆動モータと、前記駆動モータの回転シャフトに固着したウォームと、第１のギヤユニット、第２のギヤユニット、カムギヤユニットから成り、前記第１のギヤユニットは第１の平ギヤ部と前記ウォームと噛み合うウォームホイール部とで構成され、前記第２のギヤユニットは第２の平ギヤ部と前記第１の平ギヤ部と噛み合う第３の平ギヤ部で構成され、前記カムギヤユニットは、カム溝部と前記第２の平ギヤ部と噛み合う第４の平ギヤ部で構成され、前記第４の平ギヤ部の内側に円弧状切り欠き部を設けたことを特徴とするカセットローディング装置。
【請求項２】
カセットを所定位置に装着する動作において、前記カムギヤユニットＣの回動角をθ１とするとき、前記カムギヤユニットの第４の平ギヤ部の内側の円弧状切り欠き部の角度範囲を、
θ１＋２θ２
とし、かつ前記θ２は前記θ１の両側に設けることを特徴とする請求項１記載のカセットローディング装置。
【発明の詳細な説明】
【技術分野】
【０００１】
本発明は、ビデオテープレコーダー等に用いることができるカセットローディング装置に関するものである。
【背景技術】
【０００２】
従来のカセットローディング装置は、駆動モータを動力源としてその動力を伝達する数種類のギヤ群が設けられた構成を有している。（例えば特許文献１参照）。
【０００３】
以下に従来のカセットローディング装置について説明する。
【０００４】
図４は従来のビデオテープレコーダーに用いられるカセットローディング装置の平面図を、図５は図４の側面図を、図６は図５の要部拡大断面図を示すものである。図４、図５図６を説明すると、１はシャーシ、２はシャーシ１に固定された駆動モータ、３は駆動モータ２の回転軸に固着したウォーム、４はウォーム３と噛み合うウォームホイールで、後述する平ギヤ５との対向面に突部４ａを設けている。５はウォームホイール４と同軸的に勘合し、ウォームホイール４との対向面に突部５ａを設け、後述する平ギヤ部８ａと噛み合う平ギヤ、６は平ギヤ５に固定され、ウォームホイール４とで後述するバネ７を付勢保持するプレート、７はウォームホイール４とプレート６で付勢保持されたバネ、８は平ギヤ５と噛み合う平ギヤ部８ａと、後述するカムギヤ９の平ギヤ部９ａと噛み合う平ギヤ部８ｂを有する中間ギヤ、９は平ギヤ部８ｂと噛み合う平ギヤ部９ａと、カム溝部９ｂを有するカムギヤである。
【０００５】
以上のように構成された従来のカセットローディング装置について、以下にその動作について説明する。
【０００６】
カセット（図示せず）が使用者の手によってビデオテープレコーダー等のカセット挿入孔に挿入されると、カセットホルダーユニット（図示せず）に連動したカムギヤ９が回動し始める。次にカムギヤ９が回動し始めると、カムギヤ９の回転に連動した検出スイッチ（図示せず）が動作し、駆動モータ２を起動させ、その回転力は駆動モータ２→ウォーム３→ウォームホイール４＋平ギヤ５→中間ギヤ８→カムギヤ９の順で伝達され、最終的にはカセットを保持し、カムギヤ９に連結したカセットホルダーユニットが規定位置に案内保持され、カセットの装着動作が完了する。このように、通常の伝達負荷の場合は、ウォームホイール４の突部４ａの側面と平ギヤ５の突部５ａの側面が接触して、ウォームホイール４と平ギヤ５は一体となって回転する。
【０００７】
また、検出スイッチ（図示せず）が動作し、駆動モータ２が起動した後も、さらに使用者が無理にカセットを押し込んだ場合、その過負荷が、カセットホルダーユニット（図示せず）→カムギヤ９→中間ギヤ８→平ギヤ５＋ウォームホイール４へ掛かる。ここで通常の伝達負荷より、大きい過負荷が平ギヤ５＋ウォームホイール４に掛かると、ウォームホイール４の突部４ａが平ギヤ５の突部５ａの上に乗り上げ、結果としてバネ７で付勢されたウォームホイール４がウォーム３に対しせり上がり、過負荷を逃がすことができるクラッチ構造としている。
【特許文献１】特許第２５２１３３５号公報（第６頁、第２図）
【発明の開示】
【発明が解決しようとする課題】
【０００８】
しかしながら上記の従来の構成では、使用者が無理にカセットを押し込んだ場合の過負荷を、ウォームホイール４、平ギヤ５，プレート６、バネ７の４部品で構成するクラッチ構造で逃がす必要があり、部品点数が増加しコストアップになるという問題点を有していた。
【０００９】
本発明は上記従来の問題点を解決するもので、カムギヤの平ギヤ部を構成する内側に円弧状切り欠き部を設け弾性を持たせ、使用者による過負荷は、このカムギヤの平ギヤ部で
逃がす構成とすることで、クラッチ構造を廃止して部品点数を削減することができるカセットローディング装置を提供することを目的とする。
【課題を解決するための手段】
【００１０】
この目的を達成するために本発明のカセットローディング装置は、シャーシと、前記シャーシに固定された駆動モータと、前記駆動モータの回転シャフトに固着したウォームと、ギヤユニットＡ、ギヤユニットＢ、カムギヤユニットＣから成り、前記ギヤユニットＡは、平ギヤ部Ａ１と前記ウォームと噛み合うウォームホイール部Ａ２で構成され、ギヤユニットＢは、平ギヤ部Ｂ１と前記平ギヤ部Ａ１と噛み合う平ギヤ部Ｂ２で構成され、カムギヤユニットＣは、カム溝部Ｃ１と前記平ギヤ部Ｂ１と噛み合う平ギヤ部Ｃ２で構成され、前記平ギヤ部Ｃ２の内側に円弧状切り欠き部を設けたという構成を有している。
【００１１】
この構成によって、カムギヤの平ギヤ部を構成する内側に円弧状切り欠き部を設けることで、使用者による過負荷を逃がし、部品点数の削減を図り安価なカセットローディング装置が得られる。
【発明の効果】
【００１２】
以上のように本発明は、カムギヤの平ギヤ部を構成する内側に円弧状切り欠き部を設けることで、使用者による過負荷を逃がし、部品点数の削減しコストダウンが図れるという優れた効果が得られる。
【発明を実施するための最良の形態】
【００１３】
本発明の請求項１に記載の発明は、シャーシと、前記シャーシに固定された駆動モータと、前記駆動モータの回転シャフトに固着したウォームと、ギヤユニットＡ、ギヤユニットＢ、カムギヤユニットＣから成り、前記ギヤユニットＡは、平ギヤ部Ａ１と前記ウォームと噛み合うウォームホイール部Ａ２で構成され、ギヤユニットＢは、平ギヤ部Ｂ１と前記平ギヤ部Ａ１と噛み合う平ギヤ部Ｂ２で構成され、カムギヤユニットＣは、カム溝部Ｃ１と前記平ギヤ部Ｂ１と噛み合う平ギヤ部Ｃ２で構成され、前記平ギヤ部Ｃ２の内側に円弧状切り欠き部を設けるという構成としたものであり、部品点数を削減しコストダウンが図れるという作用を有する。
【００１４】
本発明の請求項２に記載の発明は、カセットを所定位置に装着する動作において、前記カムギヤユニットＣの回動角をθ１とするとき、前記カムギヤユニットＣの平ギヤ部Ｃ２の内側の円弧状切り欠き部の角度範囲をθ１＋２θ２とし、かつ前記θ２は前記θ１の両側に設けるという構成としたものであり、部品点数を削減しコストダウンが図れるという作用を有する。
【００１５】
以下、本発明の実施の形態について、図１を用いて説明する。
【００１６】
（実施の形態１）
図１は本発明の実施の形態１におけるカセットローディング装置の平面図を、図２は図１の側面図を、図３は図２の要部拡大断面図を示すものである。
【００１７】
図１、図２、図３を説明すると、１１はシャーシ、１２はシャーシ１１に固定された駆動モータ、１３は駆動モータ１２の回転軸に固着したウォーム、１４はウォーム１３と噛み合うウォームホイール部１４ａと、後述する平ギヤ部１５ａと噛み合う第１の平ギヤ部である平ギヤ部１４ｂを有するウォームホイールギヤ、１５は平ギヤ部１４ｂと噛み合う第２の平ギヤ部である平ギヤ部１５ａと、後述する平ギヤ部１６ａと噛み合う第３の平ギヤ部である平ギヤ部１５ｂを有する中間ギヤ、１６は平ギヤ部１５ｂと噛み合う第４の平ギヤ部である平ギヤ部１６ａと、カム溝部１６ｂを有するカムギヤで、平ギヤ部１６ａを構成する内側に切り欠き部１６ｃを有する。これにより、切り欠き部１６ｃの半径方向外側部分（平ギヤ部１６ａの要部）は薄肉となるため弾性変形可能となる。
【００１８】
以上のように構成された本実施の形態のカセットローディング装置について、その動作を説明する。
【００１９】
カセット（図示せず）が使用者の手によってビデオテープレコーダー等のカセット挿入口（図示せず）に挿入されると、カセットホルダーユニット（図示せず）に連動したカムギヤ１６が回転し始める。次に、カムギヤ１６が回転し始めると、カムギヤ１６の回転に連動した検出スイッチ（図示せず）が動作し、駆動モータ１２を起動させ、その回転力は駆動モータ１２→ウォーム１３→ウォームホイールギヤ１４→中間ギヤ１５→カムギヤ１６の順で伝達され、最終的にはカセットを保持しカムギヤ１６に連結したカセットホルダーユニット（図示せず）が規定位置に案内保持され、カセットの装着動作が完了する。
【００２０】
使用者がカセットを装置へ装填する際、前述のようにカセットをカセット挿入口に挿入し、所定位置まで押し込めば、あとは駆動モーターなどにより自動的に装填動作を行うのであるが、検出スイッチ（図示せず）が動作し駆動モータ１２が起動した後であるにもかかわらず、使用者が無理な力でカセットを押し込んだ場合、その過負荷が各ギヤにおける歯を破損したり、駆動モーターを破損したりするという問題となる。
【００２１】
そこで本実施の形態では、カセット挿入から装着完了までの動作においてカムギヤ１６の平ギヤ部１６ａと中間ギヤ１５の平ギヤ部１５ｂとが噛み合う範囲（カムギヤ１６の回動角）をθ１とすると、この回動角θ１の範囲にある平ギヤ部１６ａに弾性を持たせるため、カムギヤ１６の回動角θ１の範囲にある平ギヤ部１６ａの内側に円弧状の切り欠き部１６ｃを設けている。これにより、切り欠き部１６ｃ外周部は弾性を持つことができる。
【００２２】
ここで、θ１の両端近傍の平ギヤ部１６ａも確実に弾性を持たせるため、切り欠き部１６ｃの角度範囲は、θ１の両端にθ２を設け、θ１＋２θ２としている。
【００２３】
よって、使用者がカセットを無理に押し込むことによって発生する過負荷は、カセットホルダーユニット（図示せず）からカムギヤ１６を介して中間ギヤ１５まで伝達するが、カムギヤ１６のθ１の範囲にある平ギヤ部１６ａは弾性を持っているため、中間ギヤ１５の平ギヤ部１５ｂとの間で歯跳びを起こし、ここで過負荷を逃がす構造としている。
【００２４】
このように、使用者が無理にカセットを押し込んでもその過負荷は、カムギヤ１６の平ギヤ部１６ａと中間ギヤ１５の平ギヤ部１５ｂ間で歯跳びを起こすことにより、その過負荷を逃がすことができる。
【００２５】
以上のように本実施の形態によれば、カムギヤ１６の平ギヤ部１６ａの内側に切り欠き部１６ｃを設けることにより弾性を持たせ、この弾性によりカセット無理押しによって発生する過負荷を逃がすことができ、クラッチ構造を設けることなく部品点数を削減することができるカセットローディング装置を得ることができる。
【産業上の利用可能性】
【００２６】
本発明にかかるカセットローディング装置は、ビデオテープレコーダー等として有用であり、特に部品点数を削減し安価な手段で提供できることに適している。
【図面の簡単な説明】
【００２７】
【図１】本発明の実施の形態１におけるカセットローディング装置の平面図
【図２】図１の側面図
【図３】図２の要部拡大断面図
【図４】従来のカセットローディング装置の平面図
【図５】図４の側面図
【図６】図５の要部拡大断面図
【符号の説明】
【００２８】
１１    シャーシ
１２    駆動モータ
１３    ウォーム
１４    ウォームホイールギヤ
１４ａ    ウォームホイール部
１４ｂ    平ギヤ部
１５    中間ギヤ
１５ａ    平ギヤ部
１５ｂ    平ギヤ部
１６    カムギヤ
１６ａ    平ギヤ部
１６ｂ    カム溝部
１６ｃ    切り欠き部
【図１】
2006079654.tif 000003
【図２】
2006079654.tif 000004
【図３】
2006079654.tif 000005
【図４】
2006079654.tif 000006
【図５】
2006079654.tif 000007
【図６】
2006079654.tif 000008